(57)【要約】【課題】   簡単な真空ポンプによる減圧移送方式を採用し、簡単な手動操作により、インキの粘度の変化にも容易に対応でき、安価で便利なインキ洗浄装置を提供する。【解決手段】    インキ吸入口を有するハンドバケット（７）と該ハンドバケット（７）内を減圧する真空装置（１）と両者を接続するフレキシブルホース（６）とから構成されるインキ壺（２２）のインキ洗浄装置において、該ハンドバケット（７）は、外筒（９）とアッパーキャップ（１０）とアンダーキャップとからなる耐圧性の外部容器と、内部に吸入したインキを貯蔵し容易に交換できる構造の交換用の内容器（１７）と、手持用のハンドル（１３）とからなり、該真空装置（１）は、真空ポンプ（２）と減圧状態を継続するためのバキュームタンク（３）とからなり、負圧の利用により、インキの吸入、停止をおこなうことを特徴とする。【選択図】   図２
2005262517.tif 000002
【特許請求の範囲】
【請求項１】
インキ吸入口を有するハンドバケットと、該ハンドバケット内を減圧する真空装置と、両者を接続するフレキシブルホースとから構成されるインキ壺のインキ洗浄装置において、該ハンドバケットは、耐圧性の外部容器と、内部に吸入したインキを貯蔵し容易に交換できる構造の交換用容器と、手持ち用のハンドルとからなり、該真空装置は、真空ポンプと減圧状態を継続する為のバキュームタンクとからなり、負圧の利用により、インキの吸入、停止を行うことを特徴とするインキ壺のインキ洗浄装置。
【発明の詳細な説明】
【技術分野】
【０００１】
本発明は、インキ吸入口を有するハンドバケットと、該ハンドバケット内を減圧する真空装置と、両者を接続するフレキシブルホースとから構成されるインキ壷のインキ洗浄装置に関する。
【背景技術】
【０００２】
従来の印刷機のインキ洗浄装置は、自動洗浄が可能であるが、構造が複雑で且つ広いスペースが必要なため、大型の印刷機には便利であるが、スペースの狭い小型の印刷機では適用できず、また、印刷機毎に設置しなければならない為、高価なものとなる。小型印刷機等においては、インキ壺内に残っているインキをへらで取り除いた後、インキ壺及びインキ元ローラに付着している僅かなインキを、洗浄液をかけつつブラシ等にて落とし、最終的には布で拭き取っているのが現状である。
【特許文献１】特開平４−３７１８４４号
【特許文献２】特開平９−５７９６１号
【０００３】
また、インキの移送については、低粘度のインキを使用するフレキソ印刷や新聞印刷等においては、圧縮空気による加圧方式、エジェクタや真空ポンプによる減圧移送方式等が行われている。併し、比較的高粘度のインキを使用するオフセット印刷機やラベル印刷機等においては、印刷インキが非ニュートン流動の塑性流動特性を示す外に、インキをよく練ると、軟らかくなって流動性を増し、一定時間静置しておくとまた硬さや流動性は元の状態に戻るという所謂チキソトロピーという現象があり、更にインキの温度変化に伴う粘度の変化等の問題もあり、特殊な構造のプランジャーポンプ等が採用され、また、制御も複雑でレイアウト自体も複雑なものとなり高価ものとなっている。
【特許文献２】特開２００２−２４８７３７号
【特許文献３】特開２００１−１５８０８１号
【特許文献４】特開２００１−６３００４号
【発明の開示】
【発明が解決しようとする課題】
【０００４】
本発明は、以上の問題を解決するため、簡単な真空ポンプによる減圧移送方式を採用し、何処にも持ち運びできて、簡単な手動操作により、インキ壷のインキを簡単に排出でき、インキの粘度の変化にも容易に対応でき、安価で便利なインキ洗浄装置を提供することを目的とする。
【課題を解決するための手段】
【０００５】
本発明によれば、インキ吸入口を有するハンドバケットと、該ハンドバケット内を減圧する真空装置と、両者を接続するフレキシブルホースとから構成されるインキ壺のインキ洗浄装置において、該ハンドバケットは、耐圧性の外部容器と、内部に吸入したインキを貯蔵し容易に交換できる構造の交換用容器と、手持ち用のハンドルからなり、該真空装置は、真空ポンプと減圧状態を継続する為のバキュームタンクとからなり、負圧の利用により、インキの吸入、停止を行うようになっている。
【発明の効果】
【０００６】
本発明は、インキ壺毎に大がかりな洗浄装置を設置する必要はなく、複雑な制御装置も不要で、安価で容易に持ち運びが出来て簡単な手動操作によりインキを排出できる。また、インキ特有の粘度の変化にも負圧設定圧の調整により対応でき、真空ポンプの仕様削減にも対応できるというすぐれた効果を奏する。
【発明を実施するための最良の形態】
【０００７】
以下、図面を参照して本発明の最良の実施形態について説明する。
図１は本装置の機器の配置と作業の状態を示す説明図で、図３は本装置のフローシートである。これらの図で、符号１で示す真空装置は、持ち運びを容易にするため、下部には車輪Ｗが取り付けられた移動式である。そしてインキ装置架台Ｆに設置された洗浄されるインキ壺２１の近くの床面Ａに置かれている。該真空装置１の内部には、図３に示すように真空ポンプ２、バキュームタンク３及びソレノイドバルブ４が内蔵され、該ソレノイドバルブ４の出口には仕切弁５が設けられ、その吐出部はフレキシブルホース６を介してハンドバケット７に連結されている。
【０００８】
図２は、ハンドバケット７の内部断面図を示し、図２においてバケット７は耐圧性の外部容器を構成する外筒９と、その外筒９にネジ構造で螺合されＯリング等に気密に一体構成されたアッパーキャップ１０とアンダーキャップ１１とを備え、そのアッパーキャップ１０には公知の脱着用のカップリング１２を介して吸込ノズル８が取付けられている。
【０００９】
この吸込ノズル８の先端はインキの吸入時にできるだけ外気を吸い込まない構造、例えば扁平型に形成されている。
【００１０】
このハンドバケット７の外筒９には手持ち用のハンドル１３が取付けられており、その手持ち用のハンドル１３には後述のソレノイドバルブ４を開閉するためのトリガスイッチ１４が設けられている。このトリガスイッチ１４はコード１５を介して真空装置１（図１）に接続されている。
【００１１】
ハンドバケット７の外筒９の内部には吸入したインキを貯蔵する交換用容器であるポリエチレン製の内容器１７が設置されている。
そして外筒９には吸引孔１６ａが設けられ、ここには継手１６が接続されており、この継手１６にはフレキシブルホース６が接続されている。この吸引孔１６ａの所にはカバー１８が設けられ、内容器１７の移動により吸引孔１６ａが塞がれるのを防止している。
【００１２】
図３において、真空ポンプ２は配管１９を介して、バキュームタンク３と連結され、該バキュームタンク３は配管２０を介してソレノイドバルブ４と連結され、配管２０には接点付圧力計２１が設けられ、バキューム圧はインキ吸入のため必要な値に保つ様に仕切弁５の操作により設定される。尚、バキュームタンク３の容量、バキューム圧は、インキの種類、ハンドバケットでのインキヘッド圧、インキ壺２２のインキ量等によって調節できる様になっている。
【００１３】
また、上述のように、ソレノイドバルブ４、トリガスイッチ１４及び仕切弁５の代わりに、ハンドバケット７の入り口に流量調節弁を設けてもよい。
【００１４】
次ぎに、この装置の動作について、図４の動作を示すフローチャートにより説明する。
図４において、図示しない制御盤に設けたメインスイッチをＯＮして（ステップＳ１）、真空ポンプ２をＯＮする（ステップＳ２）。しばらくしてバキュ−ムタンク３の出口側に設けた接点付圧力計２１の負圧が設定値以下（例えば−３２０ｍｍＨｇ）の時（ステップＳ３）、手動でトリガスイッチ１４を作動させる（ステップＳ４）と、ソレノイドバルブ４は全開となり（ステップＳ５）、インキ吸入が出来るようになる。インキ吸入時に、出口側の接点付圧力計２１の真空圧が設定値以上（例えば−２５０ｍｍＨｇ）になれば（ステップＳ３のＮＯ）、ハンドバケット７の警報用の赤ランプ（図示せず）が前記接点付圧力計２１の接点により点灯するので、手動でトリガスイッチをＯＦＦに作動させ（ステップＳ６）、ソレノイドバルブが全閉となり（ステップＳ７）、インキは吸入出来なくなる。
【００１５】
このように本発明によれば、トリガスイッチの作動によってノズルからの吸入状況を見ながら、確実にインキの吸入ができる。また着脱構造により内容器の交換が容易である。
【図面の簡単な説明】
【００１６】
【図１】本装置の機器の配置と作業の状態を示す説明図。
【図２】ハンドバケットの内部断面図。
【図３】本装置のフローシート。
【図４】動作を説明するフローチャート。
【符号の説明】
【００１７】
１・・・エンジン部
２・・・真空ポンプ
３・・・バキュームタンク
４・・・ソレノイドバルブ
５・・・仕切弁
６・・・フレキシブルホース
７・・・ハンドバケット
８・・・吸込ノズル
９・・・外筒
１０・・・アッパーキャップ
１１・・・アンダーキャップ
１２・・・カップリング
１３・・・ハンドル
１４・・・トリガスイッチ
１５・・・コード
１６・・・継手
１７・・・内容器
１８・・・ガイド
１９・・・配管
２０・・・配管
２１・・・接点付圧力計
２２・・・インキ壺
【図１】
2005262517.tif 000003
【図２】
2005262517.tif 000004
【図３】
2005262517.tif 000005
【図４】
2005262517.tif 000006
【手続補正書】
【提出日】平成16年3月17日(2004.3.17)
【手続補正１】
【補正対象書類名】明細書
【補正対象項目名】０００３
【補正方法】変更
【補正の内容】
【０００３】
また、インキの移送については、低粘度のインキを使用するフレキソ印刷や新聞印刷等においては、圧縮空気による加圧方式、エジェクタや真空ポンプによる減圧移送方式等が行われている。併し、比較的高粘度のインキを使用するオフセット印刷機やラベル印刷機等においては、印刷インキが非ニュートン流動の塑性流動特性を示す外に、インキをよく練ると、軟らかくなって流動性を増し、一定時間静置しておくとまた硬さや流動性は元の状態に戻るという所謂チキソトロピーという現象があり、更にインキの温度変化に伴う粘度の変化等の問題もあり、特殊な構造のプランジャーポンプ等が採用され、また、制御も複雑でレイアウト自体も複雑なものとなり高価ものとなっている。
【特許文献３】特開２００２−２４８７３７号
【特許文献４】特開２００１−１５８０８１号
【特許文献５】特開２００１−６３００４号